【手続補正書】
【提出日】平成21年9月8日(2009.9.8)
【手続補正１】
【補正対象書類名】特許請求の範囲
【補正対象項目名】全文
【補正方法】変更
【補正の内容】
【特許請求の範囲】
【請求項１】
第一の方向に配置された複数の光源から放出される光を原稿面上で重畳させて原稿を照明する原稿照明装置において、
前記複数の光源の個々から射出される複数の光束の各々に対応して設けられたレンズアレイであり、前記第一の方向に正の屈折力を有し、前記第一の方向と垂直な第二の方向に屈折力を有さない第１レンズと、焦点距離がＦでありかつ前記第１レンズと前記原稿面との間で前記原稿面から焦点距離Ｆだけ離れた位置に配置されしかも前記第一の方向には屈折力を有しておらず前記第二の方向に正の屈折力を有する第２レンズとを備え、前記複数の光源の個々は、赤、緑、青の各色別に発光する発光光源を一組として、前記原稿が配置される原稿面側に凸面を向けた凸レンズからなるフードレンズで覆れたものであり、
前記フードレンズの焦点距離はｆ０であり、前記赤、緑、青の各発光光源から該フードレンズまでの主点までの距離ａが、前記焦点距離ｆ０と等しくなるように配置されてなり、前記赤、緑、青の各発光光源のうちの緑の光源から射出される光束の光軸が前記フードレンズの光軸と一致するように構成されていることを特徴とする原稿照明装置。
【請求項２】
前記第１レンズの前記第一の方向における両側面に側面鏡を配置し、前記側面鏡は、前記フードレンズの前記第一の方向における両側面から前記第２レンズの前記第一の方向における両側面までに渡って設けられていることを特徴とする請求項１に記載の原稿照明装置。
【請求項３】
前記第一の方向に配置された複数の光源は、前記原稿面に対して全て等距離となるように配置されてなり、前記個々の光源に設けられた前記フードレンズの焦点距離ｆ０は全て同じであり、前記第１レンズであるレンズアレイの各々のレンズの焦点距離ｆ１は前記第一の方向における配置に応じて変化し、前記第一の方向における中央部の光源に対応した前記第１レンズの焦点距離ｆ１と前記フードレンズの焦点距離ｆ０との関係は、
ｆ０＞ｆ１であり、前記中央部から周辺部に向かうに伴ってｆ０＝ｆ１を経て、その後、ｆ０＜ｆ１となることを特徴とする請求項１又は請求項２に記載の原稿照明装置。
【請求項４】
前記第一の方向に配置された複数の光源は、前記第一の方向における中央部が最も原稿面に近く、該中央部の光源から周辺部に向かう光源に伴って前記原稿面から遠くなるように配置されてなり、
前記個々の光源に設けられた前記フードレンズの焦点距離ｆ０は全て同じであり、前記第１レンズであるレンズアレイにおける各々のレンズ焦点距離ｆ１は前記第一の方向における配置に応じて変化し、前記第一の方向における中央部の光源に対応した前記第１レンズの焦点距離ｆ１と前記フードレンズの焦点距離ｆ０との関係は、
ｆ０＞ｆ１であり、前記中央部から周辺部に向かうに伴ってｆ０＝ｆ１を経て、その後、ｆ０＜ｆ１となることを特徴とする請求項１又は請求項２に記載の原稿照明装置。
【請求項５】
前記第一の方向に配置された複数の光源は、前記原稿面に対して全て等距離となるように配置されてなり、前記個々の光源に設けられた前記フードレンズの焦点距離ｆ０は全て同じであり、前記第１レンズであるレンズアレイにおける各々のレンズの焦点距離ｆ１は前記第一の方向における配置に応じて変化し、前記第一の方向における中央部の光源に対応した前記第１レンズの焦点距離ｆ１と前記フードレンズの焦点距離ｆ０との関係は、
ｆ０＞ｆ１であり、前記中央部から周辺部に向かうに伴ってｆ０＝ｆ１を経て、その後、ｆ０＜ｆ１となり、前記第一の方向における中央に配置された光源と、前記第一の方向における両端に配置された光源を除く前記複数の光源について、当該各光源の光軸が前記第一の方向における中央に配置された光源の光軸に対して外側に傾斜するように、前記第１レンズの直後にプリズムが配置されていることを特徴とする請求項１又は請求項２に記載の原稿照明装置。
【請求項６】
請求項１ないし請求項５のいずれか１項に記載の原稿照明装置によって原稿を照明する画像読取装置であって、
該照明された原稿から散乱又は反射された光を結像させる結像光学系と、
前記結像光学系によって結像させた画像を撮像する撮像素子とを備えたことを特徴とする画像読取装置。
【手続補正２】
【補正対象書類名】明細書
【補正対象項目名】０００１
【補正方法】変更
【補正の内容】
【０００１】
本発明は、原稿照明装置及び画像読取装置に関する。
【手続補正３】
【補正対象書類名】明細書
【補正対象項目名】００２２
【補正方法】削除
【補正の内容】
【手続補正４】
【補正対象書類名】明細書
【補正対象項目名】００２３
【補正方法】変更
【補正の内容】
【００２３】
本発明の第一の目的は、光源から放出される光でより高い効率で原稿を照明することが可能な原稿照明装置を提供することである。
【手続補正５】
【補正対象書類名】明細書
【補正対象項目名】００２４
【補正方法】変更
【補正の内容】
【００２４】
本発明の第二の目的は、光源から放出される光でより高い効率で原稿を照明することが可能な原稿照明装置によって照明された該原稿の画像を読み取る画像読取装置を提供することである。
【手続補正６】
【補正対象書類名】明細書
【補正対象項目名】００２５
【補正方法】変更
【補正の内容】
【００２５】
本願の請求項１に記載に係わる原稿照明装置は、第一の方向に配置された複数の光源から放出される光を原稿面上で重畳させて原稿を照明する原稿照明装置において、
前記複数の光源の個々から射出される複数の光束の各々に対応して設けられたレンズアレイであり、前記第一の方向に正の屈折力を有し、前記第一の方向と垂直な第二の方向に屈折力を有さない第１レンズと、焦点距離がＦでありかつ前記第１レンズと前記原稿面との間で前記原稿面から焦点距離Ｆだけ離れた位置に配置されしかも前記第一の方向には屈折力を有しておらず前記第二の方向に正の屈折力を有する第２レンズとを備え、前記複数の光源の個々は、赤、緑、青の各色別に発光する発光光源を一組として、前記原稿が配置される原稿面側に凸面を向けた凸レンズからなるフードレンズで覆れたものであり、
前記フードレンズの焦点距離はｆ０であり、前記赤、緑、青の各発光光源から該フードレンズまでの主点までの距離ａが、前記焦点距離ｆ０と等しくなるように配置されてなり、前記赤、緑、青の各発光光源のうちの緑の光源から射出される光束の光軸が前記フードレンズの光軸と一致するように構成されていることを特徴とする。
【手続補正７】
【補正対象書類名】明細書
【補正対象項目名】００２６
【補正方法】変更
【補正の内容】
【００２６】
本願の請求項２に記載の原稿照明装置は、請求項１に記載の原稿照明装置において、前記第１レンズの前記第一の方向における両側面に側面鏡を配置し、前記側面鏡は、前記フードレンズの前記第一の方向における両側面から前記第２レンズの前記第一の方向における両側面までに渡って設けられていることを特徴とする。
【手続補正８】
【補正対象書類名】明細書
【補正対象項目名】００２７
【補正方法】変更
【補正の内容】
【００２７】
本願の請求項３に記載の原稿照明装置は、請求項１又は請求項２に記載の原稿照明装置において、前記第一の方向に配置された複数の光源は、前記原稿面に対して全て等距離となるように配置されてなり、前記個々の光源に設けられた前記フードレンズの焦点距離ｆ０は全て同じであり、前記第１レンズであるレンズアレイの各々のレンズの焦点距離ｆ１は前記第一の方向における配置に応じて変化し、前記第一の方向における中央部の光源に対応した前記第１レンズの焦点距離ｆ１と前記フードレンズの焦点距離ｆ０との関係は、
ｆ０＞ｆ１であり、前記中央部から周辺部に向かうに伴ってｆ０＝ｆ１を経て、その後、ｆ０＜ｆ１となることを特徴とする。
【手続補正９】
【補正対象書類名】明細書
【補正対象項目名】００２８
【補正方法】変更
【補正の内容】
【００２８】
本願の請求項４に記載の原稿照明装置は、請求項１又は請求項２に記載の原稿照明装置において、前記第一の方向に配置された複数の光源は、前記第一の方向における中央部が最も原稿面に近く、該中央部の光源から周辺部に向かう光源に伴って前記原稿面から遠くなるように配置されてなり、
前記個々の光源に設けられた前記フードレンズの焦点距離ｆ０は全て同じであり、前記第１レンズであるレンズアレイにおける各々のレンズ焦点距離ｆ１は前記第一の方向における配置に応じて変化し、前記第一の方向における中央部の光源に対応した前記第１レンズの焦点距離ｆ１と前記フードレンズの焦点距離ｆ０との関係は、
ｆ０＞ｆ１であり、前記中央部から周辺部に向かうに伴ってｆ０＝ｆ１を経て、その後、ｆ０＜ｆ１となることを特徴とする。
本願の請求項５に記載の原稿照明装置は、請求項１又は請求項２に記載の原稿照明装置において、前記第一の方向に配置された複数の光源は、前記原稿面に対して全て等距離となるように配置されてなり、前記個々の光源に設けられた前記フードレンズの焦点距離ｆ０は全て同じであり、前記第１レンズであるレンズアレイにおける各々のレンズの焦点距離ｆ１は前記第一の方向における配置に応じて変化し、前記第一の方向における中央部の光源に対応した前記第１レンズの焦点距離ｆ１と前記フードレンズの焦点距離ｆ０との関係は、
ｆ０＞ｆ１であり、前記中央部から周辺部に向かうに伴ってｆ０＝ｆ１を経て、その後、ｆ０＜ｆ１となり、前記第一の方向における中央に配置された光源と、前記第一の方向における両端に配置された光源を除く前記複数の光源について、当該各光源の光軸が前記第一の方向における中央に配置された光源の光軸に対して外側に傾斜するように、前記第１レンズの直後にプリズムが配置されていることを特徴とする。
本願の請求項６に記載の画像読取装置は、請求項１ないし請求項５のいずれか１項に記載の原稿照明装置によって原稿を照明する画像読取装置であって、該照明された原稿から散乱又は反射された光を結像させる結像光学系と、前記結像光学系によって結像させた画像を撮像する撮像素子とを備えたことを特徴とする。
【手続補正１０】
【補正対象書類名】明細書
【補正対象項目名】００２９
【補正方法】削除
【補正の内容】
【手続補正１１】
【補正対象書類名】明細書
【補正対象項目名】００３０
【補正方法】変更
【補正の内容】
【００３０】
本願の請求項１ないし請求項５に記載の発明によれば、光源から放出される光でより高い効率で原稿を照明することが可能な原稿照明装置を提供することができる。
【手続補正１２】
【補正対象書類名】明細書
【補正対象項目名】００３１
【補正方法】変更
【補正の内容】
【００３１】
本願の請求項６に記載の発明によれば、光源から放出される光でより高い効率で原稿を照明することが可能な原稿照明装置によって照明された該原稿の画像を読み取る画像読取装置を提供することができる。
【手続補正１３】
【補正対象書類名】明細書
【補正対象項目名】００３２
【補正方法】削除
【補正の内容】
【手続補正１４】
【補正対象書類名】明細書
【補正対象項目名】０１４８
【補正方法】変更
【補正の内容】
【０１４８】
図１５に示すような照明装置の例は、赤（Ｒ）、緑（Ｇ）、青（Ｂ）三色のＬＥＤチップ（１）に一括して凸レンズ（２ｃ）のフードレンズを取り付けた光源を含むカラー用照明装置の例である。図１５に示す照明装置の例では、図５に示した照明装置におけるＬＥＤ及び回転放物面鏡を含む光源の代わりに、ＬＥＤチップ（１）及び凸レンズ（２ｃ）を含む光源を使用する。ここで、一つの光源は、青色（Ｂ）、緑色（Ｇ）、赤色（Ｒ）用の三種類のＬＥＤチップ（１）（各色の光源を発光光源という）を一列に（図１５においては主走査方向に）配置し、一列に配置された三種類のＬＥＤチップ（１）の全体が、凸レンズ（２ｃ）であるフードレンズで覆われている。三色のＬＥＤチップ（１）の配置の順番は、特に限定されないが、図１５においては、緑色（Ｇ）のＬＥＤチップ（１）を中央に配置し、緑色（Ｇ）のＬＥＤチップ（１）に隣接して、青色のＬＥＤチップ（１）及び赤色のＬＥＤチップ（１）が、配置される。
【手続補正１５】
【補正対象書類名】明細書
【補正対象項目名】０１８６
【補正方法】変更
【補正の内容】
【０１８６】
図１７に示すような照明装置においては、主走査方向（Ｓｘ）における光束の拡散の範囲がより広いので、照明装置に図１６に示す、図１７（ｂ）に示す側面鏡（５ａ，５ｂ）を設けることが効果的である。なお、側面鏡（５ａ，５ｂ）は、ＬＥＤ（１）の側面まで設けることが有効である。この場合には、ＬＥＤからの拡散光を、主走査方向（Ｓｘ）において、照明対象領域（Ａｉ）の外側に拡散させることなく、照明対象面（撮像領域）（Ａｉ）に照射させることができる。